(57)【要約】【課題】消費者の注目度を集めるのに十分であり、かつ、多くの情報量からなる広告情報を含める。【解決手段】  広告情報がＰＯＰとして表記された情報表示領域２が設けられた表面シートの裏面に、音声情報を記録、再生可能な音声情報記録／再生部３０を設け、音声情報記録／再生部３０に記録された音声情報の再生を指示するためのスイッチ３３及びスイッチ３３が貼付された領域における表面シートが他の領域から突出している。【選択図】図１
2005165156.tif 000002
【特許請求の範囲】
【請求項１】
広告情報がＰＯＰとして表記された表面シートと、該表面シートを対象物に取り付けるための取り付け部材とを少なくとも有してなるＰＯＰ表記具であって、
前記表面シートの裏面に貼付され、音声情報を記録、再生可能な音声情報記録／再生手段を有し、
前記音声情報記録／再生手段は、前記音声情報の再生を指示するための操作手段を有し、
該操作手段及び該操作手段が貼付された領域における前記表面シートが他の領域から突出していることを特徴とするＰＯＰ表記具。
【請求項２】
請求項１に記載のＰＯＰ表記具において、
前記表面シートは、印刷適性を有する合成紙から構成されていることを特徴とするＰＯＰ表記具。
【請求項３】
請求項１または請求項２に記載のＰＯＰ表記具において、
前記音声情報記録／再生手段は、
前記音声情報が記録される音声情報記録手段及び前記操作手段が搭載された音声基板と、
前記音声情報記録手段に記録された音声情報が出力される音声情報出力手段と、
正極及び負極の電極が互いに異なる面に表出してなる複数のペーパー電池が互いに直列に接続されるように接合されてなり、前記音声基板に電源を供給する電源部とを有し、
前記音声基板は、前記電源部の両電極のうち一方の電極と接続される第１の導電領域と、前記電源部の両電極のうち他方の電極と接続される第２の導電領域とが互いに異なる面に形成されていることを特徴とするＰＯＰ表記具。
【請求項４】
広告情報が表記された表面シートと、
前記表面シートの裏面に貼付され、音声情報を記録、再生可能な音声情報記録／再生手段とを有し、
前記音声情報記録／再生手段は、
前記音声情報の再生を指示するための操作手段及び前記音声情報が記録される音声情報記録手段が搭載された基板と、
前記音声情報記録手段に記録された音声情報が出力される音声情報出力手段と、
正極及び負極の電極が互いに異なる面に表出してなる複数のペーパー電池が互いに直列に接続されるように接合されてなり、前記音声基板に電源を供給する電源部とを有し、
前記基板は、前記電源部の両電極のうち一方の電極と接続される第１の導電領域と、前記電源部の両電極のうち他方の電極と接続される第２の導電領域とが互いに異なる面に形成されていることを特徴とする表記具。
【発明の詳細な説明】
【技術分野】
【０００１】
本発明は、商品陳列棚等に取り付けられ、広告情報がＰＯＰ（Point of Purchase）として表記されたＰＯＰ表記具に関する。
【背景技術】
【０００２】
従来より、百貨店やスーパーマーケット、あるいは最近ではコンビニエンスストア等の店舗において、商品陳列棚等に、商品等についての広告情報がＰＯＰとして表記されたＰＯＰ表記具が取り付けられ、これにより、商品等の販促活動が行われている。このようなＰＯＰ表記具においては、店舗への来店者の注目を集めるために様々な表記方法やＰＯＰ表記具の形状が考えられている。
【０００３】
例えば、商品陳列棚にＰＯＰ表記具とともに取り付けられた棚札表示が見える窓を形成するとともに、目立つように装飾された窓枠をＰＯＰ表記部とを一体に形成し、それにより、ＰＯＰ表記部に表記された広告情報に対する注目を集めるＰＯＰ表記具が考えられている（例えば、特許文献１参照。）。
【特許文献１】特開２００１−１７８５９９号公報
【発明の開示】
【発明が解決しようとする課題】
【０００４】
しかしながら、従来のＰＯＰ表記具においては、商品等についての広告情報がＰＯＰとして表記されているだけであるため、店舗への来店者にとっては視覚によってしか広告情報を認識することができず、ＰＯＰのデザインや文字の大きさ等によっては、注目を集めるのに十分とは言いがたい場合もある。
【０００５】
また、ＰＯＰ表記具は、ＰＯＰとして表記される広告情報の情報量がその大きさによって制限されることになるが、ＰＯＰ表記具は商品陳列棚に取り付けられる場合が多く、その場合、来店者が商品を陳列棚から取り出す際に邪魔にならないようにその大きさがあまり大きくならない方が好ましいと考えられるため、多くの情報量からなる広告情報をＰＯＰとして表記することが困難であるという問題点がある。
【０００６】
本発明は、上述したような従来の技術が有する問題点に鑑みてなされたものであって、消費者の注目を集めるのに十分であり、かつ、多くの情報量からなる広告情報を含めることができるＰＯＰ表記具を提供することを目的とする。
【課題を解決するための手段】
【０００７】
上記目的を達成するために本発明は、
広告情報がＰＯＰとして表記された表面シートと、該表面シートを対象物に取り付けるための取り付け部材とを少なくとも有してなるＰＯＰ表記具であって、
前記表面シートの裏面に貼付され、音声情報を記録、再生可能な音声情報記録／再生手段を有し、
前記音声情報記録／再生手段は、前記音声情報の再生を指示するための操作手段を有し、
該操作手段及び該操作手段が貼付された領域における前記表面シートが他の領域から突出していることを特徴とする。
【０００８】
また、前記表面シートは、印刷適性を有する合成紙から構成されていることを特徴とする。
【０００９】
また、前記音声情報記録／再生手段は、
前記音声情報が記録される音声情報記録手段及び前記操作手段が搭載された音声基板と、
前記音声情報記録手段に記録された音声情報が出力される音声情報出力手段と、
正極及び負極の電極が互いに異なる面に表出してなる複数のペーパー電池が互いに直列に接続されるように接合されてなり、前記音声基板に電源を供給する電源部とを有し、
前記音声基板は、前記電源部の両電極のうち一方の電極と接続される第１の導電領域と、前記電源部の両電極のうち他方の電極と接続される第２の導電領域とが互いに異なる面に形成されていることを特徴とする。
【００１０】
また、広告情報が表記された表面シートと、
前記表面シートの裏面に貼付され、音声情報を記録、再生可能な音声情報記録／再生手段とを有し、
前記音声情報記録／再生手段は、
前記音声情報の再生を指示するための操作手段及び前記音声情報が記録される音声情報記録手段が搭載された基板と、
前記音声情報記録手段に記録された音声情報が出力される音声情報出力手段と、
正極及び負極の電極が互いに異なる面に表出してなる複数のペーパー電池が互いに直列に接続されるように接合されてなり、前記音声基板に電源を供給する電源部とを有し、
前記基板は、前記電源部の両電極のうち一方の電極と接続される第１の導電領域と、前記電源部の両電極のうち他方の電極と接続される第２の導電領域とが互いに異なる面に形成されていることを特徴とする。
【００１１】
上記のように構成された本発明においては、取り付け部材によって対象物に取り付けられた状態において、表面シートにＰＯＰとして表記された広告情報が視覚によって認識されるとともに、操作手段が操作されると、音声情報記録／再生手段に記録された音声情報が再生される。
【００１２】
このように、音声情報記録／再生手段に音声情報が記録され、この音声情報が操作手段によって再生可能に構成されているので、広告情報を音声情報として音声情報記録／再生手段に記録しておけば、広告情報が、視覚によって認識されるとともに、音声情報としても提供されることになり、それにより、消費者の注目を集めることができ、また、多くの情報量からなる広告情報を含めることができる。
【００１３】
また、この操作手段及び操作手段が貼付された領域における表面シートが他の領域から突出しているので、操作手段が操作しやすい。
【００１４】
また、表面シートを、印字適性を有する合成紙から構成すれば、表面シートに広告情報をＰＯＰとして印字することができながらも、表面シートの耐久性を向上させることができる。特に、操作手段が貼付された領域においては、操作手段が操作されることによって、表面シートが劣化してしまう虞れがあるが、合成紙を使用することによって、表面シートの劣化を抑制することができる。
【００１５】
また、音声情報記録／再生手段に電源を供給する電源部が、正極及び負極の電極が互いに異なる面に表出してなる複数のペーパー電池から構成されるものである場合に、この複数のペーパー電池を互いに直列に接続されるように接合し、かつ、音声情報記録／再生手段が搭載され、電源部が接続される音声基板が、電源部の両電極のうち一方の電極と接続された第１の導電領域と、電源部の両電極のうち他方の電極と接続された第２の導電領域とを互いに異なる面に形成しておき、電源部の両電極を第１の導電領域と第２の導電領域とに接続する構成とすれば、複数のペーパー電池と音声基板とは２箇所のみを接続するだけで済み、製造コストを低減することができる。
【発明の効果】
【００１６】
以上説明したように本発明においては、広告情報がＰＯＰとして表記された表面シートと、該表面シートを対象物に取り付けるための取り付け部材とを少なくとも有してなるＰＯＰ表記具において、表面シートの裏面に貼付され、音声情報を記録、再生可能な音声情報記録／再生手段を有し、音声情報記録／再生手段に音声情報が記録され、この音声情報が操作手段によって再生可能に構成されているため、広告情報を音声情報として音声情報記録／再生手段に記録しておけば、広告情報が、視覚によって認識されるとともに、音声情報としても提供されることになり、それにより、消費者の注目を集めることができ、また、多くの情報量からなる広告情報を含めることができる。また、この操作手段及び操作手段が貼付された領域における表面シートが他の領域から突出しているので、操作手段を操作しやすくすることができる。
【００１７】
また、表面シートが、印刷適性を有する合成紙から構成されているものにおいては、表面シートに広告情報をＰＯＰとして印字することができながらも、表面シートの耐久性を向上させることができる。
【００１８】
また、音声情報記録／再生手段に電源を供給する電源部が、正極及び負極の電極が互いに異なる面に表出してなる複数のペーパー電池が互いに直列に接続されるように接合されてなり、かつ、音声情報記録／再生手段が搭載され、電源部が接続される音声基板が、電源部の両電極のうち一方の電極と接続される第１の導電領域と、電源部の両電極のうち他方の電極と接続される第２の導電領域とが互いに異なる面に形成されているので、複数のペーパー電池と音声基板とは２箇所のみを接続するだけで済み、製造コストを低減することができる。
【発明を実施するための最良の形態】
【００１９】
以下に、本発明の実施の形態について図面を参照して説明する。
【００２０】
図１は、本発明のＰＯＰ表記具の実施の一形態を示す図であり、（ａ）は表面から見た図、（ｂ）は内部構造を示す図である。また、図２は、図１に示したＰＯＰ表記具１の積層状態を示す図である。
【００２１】
本形態は図１及び図２に示すように、音声情報を記録、再生可能なシート状の音声情報記録／再生部３０が、紙基材等の柔軟性を有し、かつ薄型の基材からなる２枚の支持シート２０ａ，２０ｂに挟まれ、また、音声情報記録／再生部３０が挟まれた支持シート２０ａ，２０ｂが、その外形が支持シート２０ａ，２０ｂと同一形状であって、紙基材等の柔軟性を有し、かつ薄型の基材からなる表面シート１０ａ及び裏面シート１０ｂに挟まれて構成されている。また、このＰＯＰ表記具１を商品陳列棚等の対象物に取り付けるための取り付け部材５が設けられている。なお、表面シート１０ａ、裏面シート１０ｂ、支持シート２０ａ，２０ｂ及び音声情報記録／再生部３０は、支持シート２０ａ，２０ｂの表裏に施された粘着加工によって互いに接着されており、これにより、音声情報記録／再生部３０が表面シート１０ａの表面に貼付された形状になっている。この粘着加工は、支持シート２０ａ，２０ｂの表裏に両面テープを貼付することや、ホットメルト型接着剤を塗布すること等によって行うことが考えられる。また、表面シート１０ａ、裏面シート１０ｂ、支持シート２０ａ，２０ｂ及び音声情報記録／再生部３０は、一部の領域が他の領域から突出している。
【００２２】
また、音声情報記録／再生部３０は、音声情報記録手段であるＩＣチップ３４及び操作手段であるスイッチ３３が搭載された音声基板３２と、音声情報出力部４０と、３つのペーパー電池５０ａ〜５０ｃとから構成されており、音声基板３２のうち、スイッチ３３が搭載された領域が他の領域から突出している。
【００２３】
ＩＣチップ３４は音声情報が記録されるものであり、また、音声情報出力部４０は、スイッチ３３が操作された場合に、ＩＣチップ３４に記録された音声情報が出力されるものである。また、３つのペーパー電池５０ａ〜５０ｃは、互いに直列に接続されるように異方性導電性接着剤（ＡＣＰ）や異方性導電性フィルム（ＡＣＦ）によって接合されてその両端が音声基板３２に接続され、音声基板３２に電源を供給する電源部となるものである。
【００２４】
また、音声基板３２には、外部からＩＣチップ３４に音声情報を入力するための接続端子３５が設けられており、柔軟性を有し、かつ薄型の繊維強化プラスチック（ＦＲＰ）やポリイミドあるいはリードフレーム等からなる基板に、異方性導電性接着剤（ＡＣＰ）や異方性導電性フィルム（ＡＣＦ）あるいはワイヤボンディング等によってＩＣチップ３４が接合されている。
【００２５】
また、支持シート２０ａにおいては、薄型の基材からなるものの、その厚さは、要求される耐久性に応じて適宜設定されるものであり、音声情報記録／再生部３０と積層された場合に、ペーパー電池５０ａ〜５０ｃ、スイッチ３３、ＩＣチップ３４及び音声情報出力部４０と対向する領域に穴２１ａ，２２，２３，２４ａがそれぞれ形成され、穴２２が形成された領域が他の領域から突出している。
【００２６】
また、支持シート２０ｂにおいては、薄型の基材からなるものの、その厚さは、要求される耐久性に応じて適宜設定されるものであり、音声情報記録／再生部３０と積層された場合に、ペーパー電池５０ａ〜５０ｃ及び音声情報出力部４０と対向する領域に穴２１ｂ，２４ｂがそれぞれ形成され、音声基板３２を介してスイッチ３３と対向する領域が他の領域から突出している。
【００２７】
図３は、図１及び図２に示した支持シート２０ａ，２０ｂと音声情報記録／再生部３０とを積層した状態を示す図であり、（ａ）は支持シート２０ａと音声情報記録／再生部３０とを積層した状態を示す図、（ｂ）は支持シート２０ｂと音声情報記録／再生部３０とを積層した状態を示す図である。
【００２８】
図３（ａ）に示すように、支持シート２０ａのペーパー電池５０ａ〜５０ｃと対向する領域に形成された穴２１ａの大きさは、３つのペーパー電池５０ａ〜５０ｃが接合された大きさよりも小さく、また、スイッチ３３と対向する領域に形成された穴２２はスイッチ３３よりも大きく、また、ＩＣチップ３４と対向する領域に形成された穴２３はＩＣチップ３４よりも大きく、また、音声情報出力部４０と対向する領域に形成された穴２４ａは音声情報出力部４０よりも大きくなっている。
【００２９】
また、図３（ｂ）に示すように、支持シート２０ｂのペーパー電池５０ａ〜５０ｃと対向する領域に形成された穴２１ｂの大きさは、３つのペーパー電池５０ａ〜５０ｃが接合された大きさよりも小さく、また、音声情報出力部４０と対向する領域に形成された穴２４ｂは音声情報出力部４０よりも小さくなっている。
【００３０】
これにより、音声情報記録／再生部３０は、２枚の支持シート２０ａ，２０ｂによって一部のみが表裏から挟み込まれるように積層され、支持シート２０ａ，２０ｂの表裏に施された粘着加工によって固定されている。
【００３１】
また、表面シート１０ａにおいては、広告情報がＰＯＰとして印刷された情報表示領域２が設けられているとともに、支持シート２０ａの穴２２を介してスイッチ３３と対向する領域にはスイッチ３３を操作するための再生ボタン３が設けられ、また、支持シート２０ａの穴２４ａを介して音声情報出力部４０と対向する領域には、音声情報出力部４０から出力された音声を外部に出力するための微細な穴が羅列されてなる音声出力領域４が形成されている。このように微細な穴が羅列されてなる音声出力領域４が形成されているため、音声情報出力部４０が表裏を表面シート１０ａ及び裏面シート１０ｂで覆われた状態であっても、音声情報出力部４０から出力される音量の低下を補うことができる。なお、音声出力領域４においては、例えば、レーザ加工によって、０．１ｍｍ径の穴が縦横１．５ｍｍ間隔で形成されている。そのため、抜き加工や針等によって穴を形成する場合と比べてバリが発生せず、その後そのバリによって穴が塞がれてしまうことはなく、また、音声出力領域４においても、広告情報をＰＯＰとして印刷することができる。また、表面シート１０ａ及び裏面シート１０ｂにおいては、音声情報記録／再生部３０が挟み込まれた場合にスイッチ３３が組み込まれた領域が他の領域から突出するような形状となっている。また、表面シート１０ａを、発泡ＰＥＴ（ポリエチレンテレフタレート）等のような印字適性を有する合成紙から構成すれば、表面シート１０ａに広告情報をＰＯＰとして印字することができながらも、表面シート１０ａの耐久性を向上させることができる。特に、再生ボタン３が設けられた領域においては、再生ボタン３が押下されることによって、表面シート１０ａが劣化してしまう虞れがあるが、合成紙を使用することによって、表面シート１０ａの劣化を抑制することができる。また、表面シート１０ａ、裏面シート１０ｂ及び支持シート２０ａ，２０ｂを同様に全て合成紙から構成すれば、ＰＯＰ表記具１全体としての耐水性を向上させることができる。
【００３２】
上記のように構成されたＰＯＰ表記具１においては、例えば、商品陳列棚等に取り付け部材５によって吊り下げられて使用される。情報表示領域２には広告情報がＰＯＰとして印刷されており、ＰＯＰ表記具１が設置された店舗への来店者は、視覚によって広告情報を認識することになる。また、来店者が再生ボタン３を押下すると、ＩＣチップ３４に記録された音声情報が再生され、音声情報出力部４０から音声出力領域４を介して出力されることになる。そのため、例えば、商品陳列棚に陳列された商品に関する情報をＩＣチップ３４に予め書き込んでおき、その商品の陳列棚にＰＯＰ表記具１を取り付け部材５によって吊り下げておけば、来店者が再生ボタン３を押下した場合に、ＰＯＰ表記具１が吊り下げられた陳列棚に陳列された商品に関する情報が音声情報出力部４０から音声出力領域４を介して音声によって出力されることになり、来店者は商品等に関する情報を音声情報として認識することができる。その他、ＩＣチップ３４にクイズや音楽等の情報を記録しておき、再生ボタン３が押下された場合に、これらの情報を音声情報出力部４０から出力することも考えられる。また、ＩＣチップ３４に記録される情報量は、情報表示領域２に印刷される情報量よりも多いため、多くの情報を来店者に提供することができる。
【００３３】
以下に、上述したＰＯＰ表記具１に内蔵されるペーパー電池５０ａ〜５０ｃについて詳細に説明する。
【００３４】
図４は、図１〜図３に示したペーパー電池５０ａ〜５０ｃの構成を示す図であり、（ａ）は表面から見た図、（ｂ）は（ａ）に示したＡ−Ａ’断面図、（ｃ）は（ａ）に示したＢ−Ｂ’断面図である。
【００３５】
本形態におけるペーパー電池５０ａ〜５０ｃは図４に示すように、二酸化マンガン等からなる正極層５１と、亜鉛等からなる負極層５２とが、ゲル状の電解質層５３を介して積層されており、また、正極層５１側には、ＰＥＴ（ポリエチレンテレフタレート）等からなり、導電性インク５４が塗布された保護フィルム５６が積層され、負極層５２側には、ＰＥＴ等からなり、導電性インク５５が塗布された保護フィルム５７が積層されて構成されている。また、導電性インク５４が塗布された保護フィルム５６は、正極層５１、負極層５２及び電解質層５３の外形から突出した突出領域５８を有し、また、導電性インク５５が塗布された保護フィルム５７は、正極層５１、負極層５２及び電解質層５３の外形から突出した突出領域５９を有し、これら突出領域５８，５９は、互いに異なる領域にて正極層５１、負極層５２及び電解質層５３の外形から突出している。なお、導電性インク５４，５５は、保護フィルム５６，５７に対して正極層５１及び負極層５２側にそれぞれ塗布されているため、突出領域５８，５９にて導電性インク５４，５５が表出する面は互いに異なる面となっている。
【００３６】
上記のように構成されたペーパー電池５０ａ〜５０ｃおいては、保護フィルム５６に塗布された導電性インク５４が正極層５１と導通しているため、突出領域５８における導電性インク５４が正極の電極となり、また、保護フィルム５７に塗布された導電性インク５５が負極層５２と導通しているため、突出領域５９における導電性インク５５が負極の電極となる。
【００３７】
図５は、図４に示したペーパー電池５０ａ〜５０ｃが図１〜図３に示したように３つ直列に接続されるように接合された状態を示す図である。
【００３８】
図５に示すように、３つのペーパー電池５０ａ〜５０ｃは、ペーパー電池５０ａの突出領域５９における導電性インク５５とペーパー電池５０ｂの突出領域５８における導電性インク５４とが対向するようにペーパー電池５０ａとペーパー電池５０ｂとが重ね合わされて接合され、かつ、ペーパー電池５０ｂの突出領域５９における導電性インク５５とペーパー電池５０ｃの突出領域５８における導電性インク５４とが対向するようにペーパー電池５０ｂとペーパー電池５０ｃとが重ね合わされて接合されている。これにより、３つのペーパー電池５０ａ〜５０ｃは、ペーパー電池５０ａの突出領域５８における導電性インク５４が正極の電極となり、ペーパー電池５０ｃの突出領域５９における導電性インク５５が負極の電極となる、直列接続されたものとなっている。
【００３９】
図６は、図１〜図３に示した音声基板３２について、図５に示したペーパー電池５０ａ〜５０ｃとの接続状態を説明するための図である。
【００４０】
図６に示すように、図１〜図３に示した音声基板３２においては、その表面に、ペーパー電池５０ａの突出領域５８における導電性インク５４と接続されるための第１の導電領域となるランド部３１ａが形成されており、そのランド部３１ａは配線パターン３７ａによってＩＣチップ３４と接続されている。また、音声基板３２の裏面には、ペーパー電池５０ｃの突出領域５９における導電性インク５５と接続されるための第２の導電領域となるランド部３１ｂが形成されており、そのランド部３１ｂは配線パターン３７ｂによってスルーホール３６と接続され、このスルーホール３６がＩＣチップ３４と接続されている。
【００４１】
これにより、３つのペーパー電池５０ａ〜５０ｃが互いに直列に接続されてなる電源部から音声基板３２に電源が供給されることになる。
【００４２】
（他の実施の形態）
図７は、本発明のＰＯＰ表記具の他の実施の形態を示す図であり、（ａ）は表面から見た図、（ｂ）は内部構造を示す図である。
【００４３】
本形態は図７に示すように、図１に示したものに対して、取り付け部材５がＰＯＰ表記具１０１本体の下部に設けられており、また、再生ボタン３が、ＰＯＰ表記具１０１本体の上側に設けられて構成されている。その他の構成及びそれに伴う内部の構造については、上述したものと同様である。
【００４４】
本形態におけるＰＯＰ表記具１０１は上記のように構成されているので、図１に示したＰＯＰ表記具１が、商品陳列棚等に取り付け部材５によって吊り下げられて使用されるものであるのに対して、商品陳列棚等に対して棚面よりもＰＯＰ表記具１０１本体が上側となるように取り付け部材５によって取り付けられて使用される。
【００４５】
なお、上述した２つの実施の形態においては、表面シート１０ａ、裏面シート１０ｂ、支持シート２０ａ，２０ｂ及び音声情報記録／再生部３０のうち、音声基板３２のスイッチ部３３が設けられた領域が他の領域から突出しているが、本発明はこれに限らず、表面シート１０ａ、裏面シート１０ｂ、支持シート２０ａ，２０ｂ及び音声情報記録／再生部３０の一部が他の領域から突出していなくてもよい。
【００４６】
また、上述した２つの実施の形態においては、表面シート１０ａに設けられた情報表示領域２に広告情報がＰＯＰとして印刷されたＰＯＰ表記具を例に挙げて説明したが、本発明は、広告情報がＰＯＰによらずに表面シートに印刷された表記具にも適用することができる。
【図面の簡単な説明】
【００４７】
【図１】本発明のＰＯＰ表記具の実施の一形態を示す図であり、（ａ）は表面から見た図、（ｂ）は内部構造を示す図である。
【図２】図１に示したＰＯＰ表記具の積層状態を示す図である。
【図３】図１及び図２に示した支持シートと音声情報記録／再生部とを積層した状態を示す図である。
【図４】図１〜図３に示したペーパー電池の構成を示す図であり、（ａ）は表面から見た図、（ｂ）は（ａ）に示したＡ−Ａ’断面図、（ｃ）は（ａ）に示したＢ−Ｂ’断面図である。
【図５】図４に示したペーパー電池が図１〜図３に示したように３つ直列に接続されるように接合された状態を示す図である。
【図６】図１〜図３に示した音声基板について、図５に示したペーパー電池との接続状態を説明するための図である。
【図７】本発明のＰＯＰ表記具の他の実施の形態を示す図であり、（ａ）は表面から見た図、（ｂ）は内部構造を示す図である。
【符号の説明】
【００４８】
１，１０１    ＰＯＰ表記具
２    情報表示領域
３    再生ボタン
４    音声出力領域
５    取り付け部材
１０ａ    表面シート
１０ｂ    裏面シート
２０ａ，２０ｂ    支持シート
２１ａ，２１ｂ，２２，２３，２４ａ，２４ｂ    穴
３０    音声情報記録／再生部
３１ａ，３１ｂ    ランド部
３２    音声基板
３３    スイッチ
３４    ＩＣチップ
３５    接続端子
３６    スルーホール
３７ａ，３７ｂ    配線パターン
４０    音声情報出力部
５０    ペーパー電池
５１    正極層
５２    負極層
５３    電解質層
５４，５５    導電性インク
５６，５７    保護フィルム
５８，５９    突出領域
【図１】
2005165156.tif 000003
【図２】
2005165156.tif 000004
【図３】
2005165156.tif 000005
【図４】
2005165156.tif 000006
【図５】
2005165156.tif 000007
【図６】
2005165156.tif 000008
【図７】
2005165156.tif 000009